(57)【特許請求の範囲】
【請求項１】
ナンバープレートの裏面側と車両本体との間に固定されるナンバープレートフレームであって、
書類又はカードの収納部が内設されており、
当該ナンバープレートフレームの形状は、板状の長方形であり、その正面の寸法サイズは、ナンバープレートと同一か又は外周枠程度広いものであり、
当該ナンバープレートフレームのいずれか一方の側面に、前記収納部に対して書類又はカードを挿脱可能とする挿入口と、該挿入口を塞ぐ開閉カバー部とを有する
ことを特徴とするナンバープレートフレーム。
【請求項２】
当該ナンバープレートフレームの側面の前記挿入口に対して、前記開閉カバー部は、
当該側面方向にスライドして開閉する、又は、
当該ナンバープレートフレームの四隅点のいずれかを支点として蝶番部によって開閉する
ことを特徴とする請求項１に記載のナンバープレートフレーム。
【請求項３】
前記開閉カバー部の外側に鍵穴を有し、前記開閉カバー部が前記挿入口を塞いだ状態で、前記開閉カバー部の鍵穴に対する鍵の挿入回転によって、前記開閉カバー部と前記挿入口とが開錠／施錠される
ことを特徴とする請求項２に記載のナンバープレートフレーム。
【発明の詳細な説明】
【技術分野】
【０００１】
本発明は、ナンバープレートフレームの技術に関する。
【背景技術】
【０００２】
「ナンバープレート」は、法律上、「自動車登録番号標」又は「車両番号標」と称される。自動車登録番号標とは、登録自動車のナンバープレートであって、道路運送車両法第１９条に基づくものである。また、車両番号標とは、軽自動車や自動二輪車等、その他の自動車のナンバープレートであって、道路運送車両法第７３条に基づくものである。これに対し、「ナンバープレートフレーム」（フレームに角度を付ける場合「ナンバープレートボックス」「ナンバーボックス」と称されることもある）とは、ナンバープレートの外縁部分を、外見上装飾するものであって、車両アクセサリとして市販されている。
【０００３】
従来、車体に取り付けられたナンバープレートに、それを外すことなく、ナンバープレートフレームを容易に取り付けることができる技術がある（例えば特許文献１参照）。この技術によれば、ナンバープレートフレームは、その額縁部分に弾性材を用いて、ナンバープレートの外縁部に嵌合させるものである。
【先行技術文献】
【特許文献】
【０００４】
【特許文献１】特開平８−２５８６４１号公報
【発明の概要】
【発明が解決しようとする課題】
【０００５】
我が国の道路運送車両法によれば、自動車（二輪車を含む）を運転する際、運転者は、
「自動車損害賠償責任保険証（自賠責保険証）」
「運転免許証（免許証）」
を携帯することが義務付けられている。また、総排気量２５１ｃｃ以上の自動車については、
「有効な自動車検査証（車検証）」
も更に携帯することが義務付けられている。これらに違反した場合、５０万円以下の罰金に処せられることとなる。
【０００６】
しかしながら、これら証明書を収納する車両内の箇所は、運転者によって様々である。四輪自動車であれば、ダッシュボードやリアトランクに入れておくこともできる。自動二輪車の場合、シートトランクや、運転者自らのバイク用ジャケットに入れておく場合もある。いずれにせよ、証明書の収納箇所が特定されておらず、その収納箇所に迷うこともある。特に自動二輪車ほど、車両本体の収納箇所が少なく、その収納箇所に迷うことも多い。
【０００７】
そこで、本発明は、運転車両と共に携帯すべき書類又はカードを、確実に携帯し収納することができる収納物を提供することを目的とする。
【課題を解決するための手段】
【０００８】
本発明によれば、ナンバープレートの裏面側と車両本体との間に固定されるナンバープレートフレームであって、
書類又はカードの収納部が内設（外観から見えないようにフレーム内部に位置）されており、
当該ナンバープレートフレームの形状は、板状の長方形であり、その正面の寸法サイズは、ナンバープレートと同一か又は外周枠程度広いものであり、
当該ナンバープレートフレームのいずれか一方の側面（底面、左側面又は右側面）に、収納部に対して書類又はカードを挿脱可能とする挿入口と、該挿入口を塞ぐ開閉カバー部とを有する
ことを特徴とする。
【０００９】
当該運転車両と共に携帯すべき書類又はカードとして、具体的には、車検証、保険証及び／又は免許証を収納することも好ましい。
【００１１】
本発明のナンバープレートフレームにおける他の実施形態によれば、
当該ナンバープレートフレームの側面の挿入口に対して、開閉カバー部は、
当該側面方向にスライドして開閉する、又は、
当該ナンバープレートフレームの四隅点のいずれかを支点として蝶番部によって開閉することも好ましい。
【００１２】
本発明のナンバープレートフレームにおける他の実施形態によれば、
開閉カバー部の外側に鍵穴を有し、開閉カバー部が挿入口を塞いだ状態で、開閉カバー部の鍵穴に対する鍵の挿入回転によって、開閉カバー部と挿入口とが開錠／施錠されることも好ましい。
また、他の実施形態によれば、
開閉カバー部の外側に指紋読取部を有し、開閉カバー部が挿入口を塞いだ状態で、開閉カバー部の指紋読取部に対するユーザの指の接触によって、開閉カバー部と挿入口とが開錠／施錠されることも好ましい。
更に、他の実施形態によれば、
開閉カバー部の外側に近距離無線通信部を有し、開閉カバー部が挿入口を塞いだ状態で、開閉カバー部の近距離無線通信部に対する電子キーの近接によって、開閉カバー部と挿入口とが開錠／施錠されることも好ましい。
【００１３】
尚、本発明のナンバープレートフレームにおける他の実施形態によれば、
挿入口と開閉カバー部との間には、防水機能によって密閉されることも好ましい。
【発明の効果】
【００１４】
本発明のナンバープレートフレームによれば、運転車両と共に携帯すべき書類又はカードを、確実に携帯し収納することができる。特に、本発明のナンバープレートフレームは、車両本体の収納箇所が少ない自動二輪車用であることが好ましい。
【図面の簡単な説明】
【００１５】
【図１】本発明におけるナンバープレートフレームの利用形態図である。
【図２】本発明におけるナンバープレートフレームの取付状態を表す説明図である。
【図３】本発明におけるナンバープレートフレームの第１の斜視図である。
【図４】本発明におけるナンバープレートフレームの第１の六面図である。
【図５】本発明におけるナンバープレートフレームの第２の斜視図である。
【図６】本発明におけるナンバープレートフレームの第２の六面図である。
【図７】本発明におけるナンバープレートフレームの第３の斜視図である。
【図８】本発明におけるナンバープレートフレームの第３の六面図である。
【図９】本発明におけるナンバープレートフレームの開閉カバー部の施錠／解錠を表す説明図である。
【発明を実施するための形態】
【００１６】
以下、本発明の実施の形態について、図面を用いて詳細に説明する。
【００１７】
図１は、本発明におけるナンバープレートフレームの利用形態図である。
【００１８】
図１によれば、自動二輪車の後部に、ナンバープレート２が取り付けられている。本発明のナンバープレートフレーム１は、ナンバープレート２と車両本体との間に固定的に取り付けられる。勿論、本発明は、自動二輪車に限定するものではなく、ナンバープレートが取り付けられる交通車両であれば適用できる。
【００１９】
例えば自動二輪車用のナンバープレート（車両番号標）の寸法サイズは、以下のように規定されている。
自動二輪車（排気量１２６ｃｃ以上）：縦１２５ｍｍ×横２３０ｍｍ
小型自動二輪車・原動機付自転車（排気量１２５ｃｃ以下）
：課税標識（地域によってサイズが異なる）
本発明のナンバープレートフレーム１の形状は、板状の長方形であり、その正面の寸法サイズは、ナンバープレートと同一か又は外周枠程度広いものであることも好ましい。また、板状のナンバープレートフレーム１は、一定の厚み（例えば２０ｍｍ程度）を有する。取り付けられたナンバープレート２とナンバープレートフレーム１とは、外観上、一体的に見える。
【００２０】
本発明のナンバープレートフレーム１は、当該運転車両と共に携帯すべき書類又はカードの収納部（図１では外観できていない）を備えたものである。その書類又はカードは、当該運転車両と共に携帯すべき車検証、保険証及び／又は免許証であることが好ましい。収納箇所の少ない自動二輪車ほど、これら証明書の収納箇所に迷うことが無くなる。
【００２１】
また、本発明のナンバープレートフレーム１は、上下左右のいずれか一方の側面に、開閉カバー部を有する。図１によれば、右側面に伸長する開閉カバー部１２が外観できる。開閉カバー部１２は、収納部に対して書類又はカードを挿脱可能とする挿入口（図１では外観できない）を塞ぐものである。
【００２２】
図２は、本発明におけるナンバープレートフレームの取付状態を表す説明図である。
【００２３】
図２によれば、ナンバープレートフレーム１は、ナンバープレート２と車両本体３との間に挟み込んで取り付けられている。これらは、ナンバープレート２用の既存の取付ネジ（通常２本のボルト）を挿入して固定される。ナンバープレート２の正面側から挿入された取付ネジ２０は、ナンバープレートフレーム１のネジ穴を貫通し、車両本体に届く。車両本体の背面側でナットによって固定される。本発明によれば、ナンバープレート２は、ナンバープレートフレーム１によって少し厚みを持った程度で、外観上、一体的に見える。
【００２４】
図３は、本発明におけるナンバープレートフレームの第１の斜視図である。
図４は、本発明におけるナンバープレートフレームの第１の六面図である。
【００２５】
図３によれば、ナンバープレートフレーム１の右側面に、開閉カバー部１２が備えられている。収納部は、破線及び斜線によって表されており、ナンバープレートフレーム１に内設されているために外観できない。尚、図４は、図３のナンバープレートフレームの意匠を特定するためのものである。
【００２６】
また、図３によれば、開閉カバー部１２には、鍵穴部１４が更に搭載されている。鍵穴部１４は、開閉カバー部１２が挿入口を塞いだ状態で、開閉カバー部１２と挿入口とを開錠／施錠するものである。車検証、保険証及び／又は免許証のような書類及びカードにおける盗難防止のためである。勿論、開閉カバー部１２は、鍵穴を必須とするものではなく、単にカチッと閉まる程度のものであってもよい。
【００２７】
図５は、本発明におけるナンバープレートフレームの第２の斜視図である。
図６は、本発明におけるナンバープレートフレームの第２の六面図である。
【００２８】
図５によれば、ナンバープレートフレーム１の右側面の挿入口１５に対して、開閉カバー部１２は、当該上下方向にスライドして開閉する。勿論、開閉カバー部１２は、右側面に限られず、底面又は左側面にあってもよい。開閉カバー部１２をスライドさせることによって、ナンバープレートフレーム１に内設された収納部１３の挿入口１５が見え隠れする。開閉カバー部１２を下向きにスライドさせた状態で、挿入口１５に、書類又はカードを出し入れすることができる。尚、図６は、図５のナンバープレートフレームの意匠を特定するためのものである。
【００２９】
また、図５によれば、開閉カバー部１２が、フレーム本体部１１に対してスライドするように、凹凸部が嵌合するように構成されていることも好ましい。別途の開閉部品を要することなく、開閉カバー部１２及びフレーム本体部１１の嵌合構造のみで実現することができる。
【００３０】
更に、ナンバープレートフレーム１について、挿入口１５と開閉カバー部１２との間には、防水機能によって密閉されることが好ましい。車検証等の紙書類に対する水濡れを防止するためである。防水機能としては一般的なものであってもよく、例えば挿入口１５の周辺に、ゴムを配置したものであってもよい。
【００３１】
図７は、本発明におけるナンバープレートフレームの第３の斜視図である。
図８は、本発明におけるナンバープレートフレームの第３の六面図である。
【００３２】
ナンバープレートフレーム１の側面の挿入口１５に対して、開閉カバー部１２は、そのナンバープレートフレームの四隅点のいずれかを支点として蝶番部１６によって開閉する。図７によれば、ナンバープレートフレーム１の右側面の挿入口１５に対して、開閉カバー部１２の蝶番部１６は、右下頂点に配置されている。勿論、開閉カバー部１２は、右側面に限られず、底面又は左側面にあってもよい。開閉カバー部１２は、蝶番部１６を中心に９０度以上の角度で開くことによって、ナンバープレートフレーム１の右側面の挿入口１５が見える。尚、図８は、図７のナンバープレートフレームの意匠を特定するためのものである。
【００３３】
図９は、本発明におけるナンバープレートフレームの開閉カバー部の施錠／解錠を表す説明図である。
【００３４】
図９（ａ）は、開閉カバー部１２の外側に、機械的な鍵機構を有するものである。開閉カバー部１２が挿入口１５を塞いだ状態で、開閉カバー部１２の鍵穴に対する鍵の挿入回転によって、開閉カバー部１２と挿入口１５とが開錠／施錠される。
【００３５】
図９（ｂ）は、開閉カバー部１２の外側に、指紋読取センサを有するものである。開閉カバー部１２が挿入口１５を塞いだ状態で、開閉カバー部１２の指紋読取部に対する運転者の指の接触によって、開閉カバー部１２と挿入口１５とが開錠／施錠される。フレーム本体部１１には、指紋認証用プロセッサが搭載されており、運転者の指紋情報を記憶している。開閉カバー部１２が閉じた状態で、指紋認証用プロセッサは、開閉カバー部１２の指紋読取センサによって読み取られた指紋情報と照合する。指紋情報が一致した際にのみ、開閉カバー部１２を開錠する。
【００３６】
図９（ｃ）は、開閉カバー部１２に、開閉カバー部１２の外側に、近距離無線通信部を有するものである。開閉カバー部１２が挿入口１５を塞いだ状態で、開閉カバー部１２の近距離無線通信部に対する電子キーの近接によって、開閉カバー部１２と挿入口１５とが開錠／施錠される。フレーム本体部１１には、電子キー認証用プロセッサが搭載されており、運転者の電子キー情報を記憶している。近接無線通信部は、例えばＮＦＣ(Near Field Communication)、Felica（登録商標）、Bluetooth（登録商標）、赤外線のような無線通信方式であってもよい。開閉カバー部１２が閉じた状態で、電子キー認証用プロセッサは、開閉カバー部１２の近距離無線通信部によって読み取られた電子キー情報と照合する。電子キー情報が一致した際にのみ、開閉カバー部１２を開錠する。
【００３７】
以上、詳細に説明したように、本発明のナンバープレートフレームによれば、運転車両と共に携帯すべき書類又はカードを、確実に携帯し収納することができる。
【００３８】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００３９】
１  ナンバープレートフレーム
１０  取付ネジ穴
１１  フレーム本体部
１２  開閉カバー部
１３  収納部
１４  鍵穴部
１５  挿入口
１６  蝶番部
２  ナンバープレート
３  車両本体
【要約】
【課題】運転車両と共に携帯すべき書類又はカードを、確実に携帯し収納することができるものを収納物を提供する。
【解決手段】ナンバープレートの裏面側と車両本体との間に固定されるナンバープレートフレームであって、運転車両と共に携帯すべき書類又はカードの収納部を備える。また、当該ナンバープレートフレームのいずれか一方の側面に、収納部に対して書類又はカードを挿脱可能とする挿入口と、その挿入口を塞ぐ開閉カバー部とを有する。更に、開閉カバー部は、当該側面方向にスライドして開閉する、又は、当該ナンバープレートフレームの四隅点のいずれかを支点として蝶番部によって開閉する。更に、開閉カバー部の外側に鍵穴を有し、開閉カバー部が挿入口を塞いだ状態で、開閉カバー部の鍵穴に対する鍵の挿入回転によって、開閉カバー部と挿入口とが開錠／施錠される。
【選択図】図２【図１】
0005586074.tif 000002
【図２】
0005586074.tif 000003
【図３】
0005586074.tif 000004
【図４】
0005586074.tif 000005
【図５】
0005586074.tif 000006
【図６】
0005586074.tif 000007
【図７】
0005586074.tif 000008
【図８】
0005586074.tif 000009
【図９】
0005586074.tif 000010